(57)【要約】本発明の異種物質を混合する構造は、第１物質を含有する容器の開放部に結合され、上部が開放された口部を有する排出台本体；前記口部の内側に一定な間隔に移動できるように挿入される排出誘導部；前記排出台本体に結合され、排出誘導部と一体に乗降される蓋；および前記排出誘導部の下側に分離できるように形成された密閉栓を含む。
2007510595.tif 000002
【特許請求の範囲】
【請求項１】
容器の排出側に結合または接着された排出台の内部に異種物質を貯蔵する貯蔵空間を形成する段階と；
前記異種物質が、排出台の蓋の上昇作動によって選択的に開放されて容器内の内容物と混合する段階とを含むことを特徴とする異種物質を混合する方法。
【請求項２】
前記貯蔵空間は、蓋と結合された排出誘導部であることを特徴とする請求項１記載の方法。
【請求項３】
前記貯蔵空間の内に貯蔵された異種物質は、粉末または液体であることを特徴とする請求項１記載の方法。
【請求項４】
前記貯蔵空間は、異種物質と混合された容器の内容物が容器の外に排出される通路の役割をすることを特徴とする請求項１記載の方法。
【請求項５】
前記貯蔵空間は、排出誘導部の外側に形成されることを特徴とする請求項１記載の方法。
【請求項６】
第1物質を含有する容器の開放部に結合され、上部が開放された口部を有する排出台本体；
前記口部の内側に一定な間隔に移動できるように挿入される排出誘導部；
前記排出台本体に結合され、排出誘導部と一体に乗降される蓋；および
前記排出誘導部の下側に分離できるように形成された密閉栓を含むことを特徴とする異種物質を混合する構造。
【請求項７】
前記蓋の内側に掛かり部が形成され、前記排出誘導部の上部外周面に掛かり部に掛かる環突起が形成されることを特徴とする請求項６記載の構造。
【請求項８】
前記排出誘導部の下部外側に上昇量を制御する固定突起が形成されることを特徴とする請求項６記載の構造。
【請求項９】
前記排出誘導部の外側に空気流入部が形成されることを特徴とする請求項６乃至請求項８記載の構造。
【請求項１０】
前記密閉栓は、排出誘導部の下端に分離できるように形成されることを特徴とする請求項６記載の構造。
【請求項１１】
前記排出台本体は、軟質パウチ容器に結合されることを特徴とする請求項６記載の構造。
【請求項１２】
前記密閉栓は、排出誘導部及び排出台本体の下側に結合されて第２物質が排出誘導部の内側及び外側に貯蔵され、排出誘導部の上昇時に破壊されて第２物質が容器の第1物質に落下されることを特徴とする請求項６記載の構造。
【請求項１３】
第1物質を含有する容器の開放部に結合され、上部が開放された口部および延長部を有する排出台本体；
前記口部の内側に一定な間隔に移動できるように挿入され、排出孔が形成され、延長部との間に第２物質を貯蔵する貯蔵空間部を有する排出誘導部；
前記排出台本体に結合され、排出誘導部と一体に乗降される蓋；および
前記排出誘導部および延長部の下側に分離できるように形成され、選択的に破損されて第２物質が容器の第1物質に落下されるようにする密閉栓を含むことを特徴とする異種物質を混合する構造。
【請求項１４】
前記延長部の内側に密閉栓を破損させる穿孔突起が形成されることを特徴とする請求項１３記載の構造。
【請求項１５】
前記延長部の下側に移動用排出台が挿入されることを特徴とする請求項１３記載の構造。
【請求項１６】
前記蓋にキャラクターが結合されることを特徴とする請求項１３記載の構造。
【請求項１７】
前記排出誘導部に空気流入部が形成され、下側に密閉栓が付着されることを特徴とする請求項１３記載の構造。
【請求項１８】
第1物質を含有する容器の開放部に結合され、上部が開放された口部を有する排出台本体；
前記口部の内側に一定な間隔に移動できるように挿入され、上部内側に螺子部が形成されて下側に穿孔部が形成される排出誘導部；
前記排出台本体の上部外側に結合されて本体と反対方向に移動される内部蓋を有する蓋；
前記排出誘導部の下側に接着されて排出誘導部の下降によって破壊されるシール部材を含むことを特徴とする異種物質を混合する構造。
【請求項１９】
前記蓋の螺子は内部蓋の螺子と反対方向に形成されることを特徴とする請求項１８記載の構造。
【請求項２０】
前記蓋に開放部が形成され、蓋の上昇作動によって開放される密閉栓がこの開放部に結合されることを特徴とする請求項１８記載の構造。
【請求項２１】
容器に結合され、開放部を有する延長部及びシール部材を有する本体；
前記本体に結合され、内部下側にシール部材が挿入されて第1物質を貯蔵する貯蔵部を形成する移動部材；および
前記移動部材の上部外側に結合された蓋を含むことを特徴とする異種物質を混合する構造。
【請求項２２】
前記移動部材の上部内側に排出台が挿入されることを特徴とする請求項２１記載の構造。
【請求項２３】
前記排出台に空気流入部が形成されることを特徴とする請求項２２記載の構造。
【請求項２４】
前記貯蔵部に外部掛かり敷居が突出形成され、前記本体に外部掛かり敷居に掛かる内部掛かり敷居が形成されて移動部材の上昇量を一定の長さ内に制限することを特徴とする請求項２１記載の構造。
【請求項２５】
容器に結合され、上部が開放された口部を有する排出台本体；
前記本体の内側に位置されて第1物質を貯蔵する空間を形成する内部栓；
前記口部の内側に一定な間隔に移動できるように挿入され、流入孔及び内部栓を選択的に開放させる密閉部を下部に有する排出誘導部；および
前記口部の上部外側に結合され、排出誘導部と一体に移動される蓋を含むことを特徴とする異種物質を混合する構造。
【請求項２６】
前記蓋は、キャラクターを固定させるための固定部が形成されることを特徴とする請求項２５記載の構造。
【請求項２７】
前記本体の内側に空間部を形成するための空間構成面が形成されることを特徴とする請求項２５記載の構造。
【請求項２８】
前記内部栓は、下側に延長されて第1物質を選択的に落下させる落下部が形成され、この落下部にはパッキングが設置され、このパッキングは排出誘導部の下側に形成された密閉面と緊密に密着されることを特徴とする請求項２５記載の構造。
【請求項２９】
前記パッキングは、下側にふくらむチェックバルブで形成されたことを特徴とする請求項２８記載の構造。
【請求項３０】
前記パッキングは、下部が平坦になって、上部は密閉面に固定されることを特徴とする請求項２８記載の構造。
【請求項３１】
前記内部栓は、容器のネック部の上端と密着される上部シール部及びネック部の内面と密着される側面シール部が備わることを特徴とする請求項２５記載の構造。
【請求項３２】
前記密閉面は、下側に延長されてパッキングの上部及び側面に密着されることを特徴とする請求項２８記載の構造。
【請求項３３】
前記排出誘導部は、内部栓の内部と連通される排出孔が形成されることを特徴とする請求項２５記載の構造。
【請求項３４】
前記蓋は、本体の口部の上部外側面に密着される内向突起が形成されることを特徴とする請求項２５記載の構造。
【請求項３５】
パウチ容器の排出側に付着される口部を有する排出台本体；
前記口部の外部に螺子結合される蓋；
前記蓋の内部上側に結合されて一定な距離に移動でき、第1物質を貯蔵する排出誘導部；および
前記排出誘導部の下部に結合された落下部を有する密閉部材を含むことを特徴とする異種物質を混合する構造。
【請求項３６】
前記密閉部材は、本体の下部内側に備わることを特徴とする請求項３５記載の構造。
【請求項３７】
前記密閉部材は、本体の下部内側に形成された複数個の案内敷居に支持され、排出誘導部の下部に結合されることを特徴とする請求項３５記載の構造。
【請求項３８】
パウチ容器の排出側に付着される口部を有する排出台本体；
前記口部の外部に螺子結合される蓋；
前記蓋の内部上側に結合されて一定な距離に移動でき、第1物質を貯蔵する排出誘導部；
前記排出誘導部の下部に付着されて外側に延長された掛かり部を有する密閉板；および
前記本体の下部内側に形成されて密閉板を排出誘導部から分離させる密閉板移動部材を含むことを特徴とする異種物質を混合する構造。
【請求項３９】
前記密閉板は、一側に傾くように設置されることを特徴とする請求項３８記載の構造。
【発明の詳細な説明】
【技術分野】
【０００１】
本発明は異種物質を混合する方法及び構造に関するもので、より詳しくは、粉末及び液体飲料のような異種物質を効果的に混合する方法及び構造に関するものである。
【背景技術】
【０００２】
一般的に、飲料容器に貯蔵された液体飲料に粉末を混合させるためには飲料容器の内部に別途の空間を備えるべきである。
【０００３】
韓国実用新案登録第１１８１５６号は、容器の異種物質を混合する構造を開示している。前記構造は、穿孔ピンを押して容器の異種物質を混合するように構成される。しかし、これは内容物を飲用するために穿孔ピンを除去すべきである問題点がある。
【０００４】
前記問題点を解決するために、容器に結合された蓋を開放すると、別途の空間内に貯蔵された内容物が容器の内部に落下されるようにする構造が提案されておる。しかし、これは飲料の飲用性が容易ではない問題点がある。
【発明の開示】
【発明が解決しようとする課題】
【０００５】
本発明は詳述した従来技術の問題点を解決するためのものである。本発明の目的は、上部に引き出されるように構成された排出台を形成して飲用性を向上させることができる異種物質を混合する方法及び構造を提供することにある。
【０００６】
また、本発明の他の目的は、蓋の開放により別途の空間内に貯蔵された内容物が容器内に落下されるようにして使用上の便利性を図ることができる異種物質を混合する方法及び構造を提供することにある。
【０００７】
また、本発明の他の目的は、容易な構造で異種物質を混合する方法及び構造を提供することにある。
【課題を解決するための手段】
【０００８】
前記目的を実現するために、本発明は、容器の排出側に結合または接着された排出台の内部に異種物質 を貯蔵する貯蔵空間を形成する段階と；
前記異種物質が、排出台の蓋の上昇作動によって選択的に開放されて容器内の内容物と混合する段階とを含む異種物質を混合する方法を提供する。
【０００９】
本発明の他の観点によると、第1物質を含有する容器の開放部に結合され、上部が開放された口部を有する排出台本体；前記口部の内側に一定な間隔に移動できるように挿入される排出誘導部；前記排出台本体に結合され、排出誘導部と一体に乗降される蓋；および前記排出誘導部の下側に分離できるように形成された密閉栓を含む異種物質を混合する構造が提供される。
【発明の効果】
【００１０】
本発明の異種物質を混合する構造および方法は、上部に引き出されるように構成された排出台を形成して飲用性を向上させることができる。
【００１１】
また、本発明の異種物質を混合する構造および方法は、蓋の開放により別途の空間内に貯蔵された内容物が容器内に落下されるようにして使用上の便利性を図ることができる。
また、本発明の異種物質を混合する構造および方法は、簡単な構造に構成できる。
【００１２】
以上記述したように、本発明は液体物質を貯蔵する全て形態の容器に適用されることができる。特に、異種物質が容器に貯蔵され、液体物質と混合されて使用者は容易に使用することができる。
【発明を実施するための最良の形態】
【００１３】
以下、本発明の好ましい実施例を添付した図面を参照して説明する。
図１乃至図３は、本発明の第１実施例による異種物質を混合する構造を表す図面である。本発明の排出台１は飲料容器のような容器に分離できるように結合される。
前記排出台１は、開放された上部と容器に結合される下部を有する口部１１を有する本体１０と、前記口部１１の内側に挿入されて上下スライド作動される排出誘導部２０と、前記本体１０の上部に結合される蓋３０を含む。
前記排出誘導部２０は、内側に粉末のような内容物が貯蔵される空間部２１が形成されており、上部外側には蓋３０の内面に形成された掛かり部３１に結合されて蓋３０と一体に乗降される環突起２２が形成されており、下部外側には固定突起２４が形成されている。
そして、前記排出誘導部２０の下側には密閉栓２３が結合されている。前記排出誘導部２０の外面には空気流入部２５が長さ方向に形成されている。
前記密閉栓２３は、排出誘導部２０の下側に分離できるように結合される。しかし，本発明はこれに限定することではない。即ち，前記密閉栓２３は排出誘導部２０の下端に一体に形成されることができる。
このように構成された合成樹脂からなった排出台１において、前記口部１１は容器内の側面に形成され，この口部１１を中心に一定な大きさの空間部２１を有する排出誘導部２０は本体１０の内部に結合される。
前記排出誘導部２０の空間部２１の内には粉末のような内容物が貯蔵され、この排出誘導部２０の下側には密閉栓２３が緊密に結合される。
【００１４】
図２に示した通り、前記密閉栓２３は排出誘導部２０が上昇する過程で口部１１の底部に接触されて分離されて、空間部２１の内容物が落下して容器内の内容物と混合されるようにする。
前記排出誘導部２０は、下部の外周面に形成された固定突起２４によって一定な距離以上に上昇されることが制限される。
前記排出誘導部２０は、蓋３０の回転作動によって上昇または下降される。即ち、前記排出誘導部２０の上部の外周面に形成された環突起２２が蓋３０の内面に形成された掛かり部３１に結合された状態では、排出誘導部２０は蓋３０と共に一定な距離ほど上昇または下降される。前記蓋３０が本体１０から分離される前に、環突起２２が掛かり部３１から離脱される。その結果、図３に示す通り、蓋３０が本体１０から分離される。
前記蓋３０が本体１０から分離された状態では、排出誘導部２０は上方に引き出されるので、使用者は内容物を容易に飲むことができる。
排出誘導部２０に空気流入部２５が形成されて飲用時に容器の内部に空気が流入されるので、使用者が混合された内容物を容易に飲用できる。
本実施例による排出台１は多様な構造の変形ができる。例えば，排出台１は容器のネック部にスクリュー方式またはワンタッチ方式に結合されることができる。
【００１５】
図４は本発明の第２実施例を示した図面として、本体１０はパウチ容器に結合されるように構成された。排出誘導部１２は本体１０に形成され、前記本体１０の口部１１は、排出誘導部２０をパウチ容器に直接に結合することにより容器の首としての機能を遂行する。
前記排出誘導部２０の空間部２１は多様な変形ができる。例えば，前記空間部２１の下部を広げる，または前記口部１１を折綴部によって一側に湾曲した構成するなどの変形もできる。
また、前記排出誘導部２０は容器首の上部に密閉できるように上向されるように構成することもできる。
【００１６】
図５は本発明の第３実施例を表し、空間部２１に貯蔵された内容物が容器の内部に効果的に混合されるように、空間部２１の下端を閉鎖させるために、密閉突起２３１が密閉栓２３０に形成される。前記排出誘導部２０の下端が密閉突起２３１から離隔される過程で、空間部２１に貯蔵された内容物が容器の内部に落下されるように落下空間部２３２が形成される。
そして、必要によっては、口部１１の下端と密閉栓２３０の上側に他の空間Ｓが形成でき、内容物がこの空間Ｓに貯蔵されることができ、さらに多い量の内容物を貯蔵することができる。
【００１７】
図６及び図７は本発明の第４実施例を示す。
本体１０の内部下側に延長される延長部４１を形成する。前記延長部４１の内側には複数個の穿孔突起４２を形成する。前記口部１１の内側に結合された排出誘導部２０の下側には容器と連通される側面排出孔４３を形成する。前記排出誘導部２０と延長部４１の間には異種物質が貯蔵される空間部４４を形成する。前記排出誘導部２０と延長部４１の下端にはシール部材４５を接着させる。
従って、蓋３０を上向させると、排出誘導部２０が上昇しながら、図７に示したように、穿孔突起４２によってシール部材４５が破損されて空間部４４に 貯蔵された内容物が容器内に落下して容器内の内容物と混合される。  混合された内容物は側面排出孔４３を通じて排出される。
【００１８】
図８は本発明の第５実施例を示す図面である。
排出誘導部２０の下端に移動形排出台５０が挿入されて、容器内の内容物が移動形排出台５０及び排出誘導部２０を通じて排出されることができる。
そして、蓋３０の上側にキャラクターを結合する。
【００１９】
図９は本発明の第６実施例を示す図面である。
排出誘導部２０に空気流入口６０を形成し、排出誘導部２０の下側には接着部６１が形成される。前記延長部４１と接着部６１にシール部材６２が接着されて、異種物質が貯蔵される空間部６３が形成される。前記排出誘導部２０の上昇時、前記シール部材６２が破損されて、空間部６３の内に貯蔵された異種物質が容器に落下されることができる。
【００２０】
図１０は本発明の第７実施例を示す図面である。
排出誘導部２０の下側に異種物質が貯蔵される貯蔵桶７０を形成し、延長部４１の下端にシール部材７１を付着する。前記貯蔵桶７０の内面には多数個の突起７２を長さ方向に形成して内容物が衝撃により容易に落下されることができる。排出誘導部２０が上昇すると、シール部材７１が分離されて、貯蔵桶７０に貯蔵された内容物が容器の内側に落下されるようにする。
【００２１】
図１１は本発明の第８実施例を示す図面である。
蓋３０の内側には内部蓋８０が形成されている。前記内部蓋８０には本体１０と結合される螺子と反対の螺子方向に形成された螺子部８１が形成される。前記螺子部８１は排出誘導部２０の上部内側に螺子結合される。延長部４１の下端にはシール部材８２が接着され、排出誘導部２０の下側には穿孔部８３が形成されて内容物が容器に落下されるようにする。蓋３０が回転すると、蓋３０及び内部蓋８０が上昇する。その結果、前記内部蓋８０と螺子結合された排出誘導部２０が下向して、穿孔部８３がシール部材８２を破壊して内容物が落下されるようにする。
【００２２】
図１２は本発明の第９実施例を示す図面である。
蓋３０の上側に開放部９０を形成し、この開放部９０にワンタッチ方式の密閉栓９１を結合する。延長部４１の側面には落下空間９２を形成し、排出誘導部２０の下端にはシール部材９３を結合または接着する。蓋３０の上昇時、密閉栓９１が上側に開放され、内部蓋８０の作動によって排出誘導部２０が下向されるで、シール部材９３が破壊されて内容物が落下する。
【００２３】
図１３は本発明の第１０実施例を示す図面である。
容器１００の上側には排出台本体１０が結合され、この本体１０の内部には下側に延長される延長部１０１が形成される。この延長部１０１の側部には開放部１０２が形成され、延長部１０１の下端にはシール部材１０３が形成される。
前記本体１０の上側には異種物質が貯蔵される貯蔵部１０４を有する移動部材１０５が結合される。この移動部材１０５の上側には蓋３０が結合される。
前記貯蔵部１０４の下側にはシール部材１０３が挿入され、移動部材１０５の上部には排出台１０６が挿入される。この排出台１０６の外面には長さ方向に空気流入部１０７が形成される
そして、前記貯蔵部１０４の外面には外部掛かり敷居１０４ａが突出形成される。本体１０の内面には前記外部掛かり敷居１０４ａが掛かる内部掛かり敷居１０ａが形成されている。
本実施例では、移動部材１０５が螺子作動により上側に移動すると、貯蔵部１０４がその下側に挿入されたシール部材１０３から分離されて、異種物質が開放部１０２を通じて落下する。その後、蓋３０を移動部材１０５から分離すると、開放部１０２及び排出台１０６を通じて容器内の混合物が排出される。
この時、前記移動部材１０５の上昇移動は、 貯蔵部１０４の外面に形成された外部掛かり敷居１０４ａに掛かる、本体１０の内面に形成された内部掛かり敷居１０ａにより制限される。
そして、前記排出台１０６の外面に長さ方向に複数個の空気流入部１０７が形成されるので、混合物に排出時に、外部の空気が容器１００の内部に流入される。
【００２４】
図１４は本発明の第１１実施例を示す図面である。
本体１０は上側に口部１１が形成され、下部には空間構成面１１０が形成される。前記本体１０と空間構成面１１０の間には内部栓１１２が設置されて異種物質が貯蔵される空間部１１１を形成する。
前記口部１１の内側には排出誘導部２０が乗降できるように挿入される。この排出誘導部２０の下側には内部栓１１２の下側を選択的に密閉する密閉部１１４が形成される。
前記口部１１の上部外側には蓋３０が結合され、この蓋３０の上側にはキャラクターＣを固定させるための固定部１１４が形成される。
前記排出誘導部２０及び内部栓１１２は内容物を貯蔵するために流入孔１１３によって連通される。
従って、蓋３０を上側に移動すると、排出誘導部２０が共に上昇して、内部栓の中央が密閉部１１４によって開放されて異種物質が容器に落下されるようにする。飲用時には、空間部１１１の内に流入された混合物が流入孔１１３を通じて排出誘導部２０の内に流入される。
【００２５】
図１５及び図１６は本発明の第１２実施例を示す図面である。
この構成は第１１実施例と大略同一であるが、但し、内部栓１２０が本体１０の内側に容器と共に結合されて密閉される。
前記内部栓１２０は下側に延長されて異種物質が貯蔵される空間部１２１を形成する。前記内部栓１２０の中央には落下部１２２が形成され、この落下部１２２にはパッキング１２３が挿入されて排出誘導部２０の下部に形成された密閉面１２４が緊密に接触されて任意的に異種物質が落下することを防止する。
前記排出誘導部２０の下側には混合物がようきの外に排出されるようにする流入孔１２５が形成されている。
前記内部栓１２０は容器のネック部と接触される上部シール部１２６と、ネック部の内面に密着される側面シール部１２７を含む。
前記排出誘導部２０の外面には上昇移動が制限される掛かり敷居１２８が形成されている。
前記本体１０の口部１１の外側には蓋３０が結合され、前記口部１１に挿入される排出誘導部２０は蓋３０と共に一定な距離で乗降移動する。
前記パッキング１２３は落下部１２２に設置されて密閉面１２４と緊密に密着される。前記パッキング１２３は下側にふくらむように挿入されて、容器内部の気圧上昇によりまたは排出誘導部２０を通じて吸入する気圧によって開放されるチェックバルブ形態に形成できる。または、図１６に示すように、'Ｔ'字形状に形成して密閉面１２４に挿入固定することもきる。密閉面１２４を下側に延長し、 パッキング１２３を密閉面１２４の外側に設置して落下部１２２の上側と緊密に密着されるようにして完全な密閉を提供することもできる。
従って、蓋３０を螺子移動して上昇させると、排出誘導部２０が上昇するので、密閉面１２４がパッキング１２３から離隔され、これによって落下部１２２が開放されるので異種物質が落下するようにする。これによって、 異種物質と混合された容器内の内容物は流入孔１２５を経由して排出誘導部２０を通じて排出される。
【００２６】
図１７及び図１８は本発明の第１３実施例を示す図面である。
本実施例は第１２実施例と類似であるが、但し、異種物質は内部栓１２０と排出誘導部２０に貯蔵される。
排出誘導部２０はその下部は密閉され、内部栓１２０の内部と連通される連通孔１３０が形成される。前記内部栓１２０の下側に形成された落下部１２２の内側には排出誘導部２０から延長される密閉部１３１が形成される。前記密閉部１３１の外面にはパッキング１３２が設置されて異種物質の貯蔵及び排出ができる。
【００２７】
図１８に示すように、前記蓋３０には本体１０の口部１１の上部外側面に密着する内向突起１３３が形成されている。
従って、排出誘導部２０及び内部栓１２０の内部に異種物質が貯蔵された状態では、内部栓１２０の落下部１２２と密閉部１３１の間に設置されたパッキング１３２によって密閉が成し遂げられる。蓋３０に形成された内向突起１３３が口部１１の上部外側面に緊密に密着されるようにして蓋３０を通じて完全な密閉ができる。
この時、本体１０の口部１１に結合された蓋３０を上側に螺子移動させると、排出誘導部２０が上昇し、同時に密閉部１３１及びパッキング１３２が内部栓１２０の落下部１２２と離隔される。その結果、前記排出誘導部２０内の異種物質は排出孔１３を通じて内部栓１２０の内側に排出され、落下部１２２を通じて容器１００の内に落下する。前記内部栓１２０内の異種物質は落下部１２２を通じて落下する。
容器１００内の混合物は落下部１２２を通じて内部栓１２０の内部に流入され、さらに排出孔１３０を通じて排出誘導部２０の内に流入されて、使用者は内容物を飲用することができる。
【００２８】
図１９は本発明の第１４実施例を示す図面である。
パウチ容器１００の排出側に付着される本体１０の口部１１には蓋３０が螺子結合される。前記蓋３０には異種物質が貯蔵される排出誘導部２０が分離できるように結合される。前記排出誘導部２０の下端には落下部１４０を有する密閉部１４１が形成される。この密閉部１４１は本体１０の下部内側に形成されることが望ましい。
従って、蓋３０を螺子移動に上向させると、排出誘導部２０が前記密閉部１４１に挿入されて密閉される。
【００２９】
図２０は本発明の第１５実施例を示す図面である。
本実施例は第１４実施例と大略類似であるが、本体１０の下部内側に複数個の案内敷居１５０が形成された。この案内敷居１５０には排出誘導部２０の開放された下部に付着された密閉部材１５１が結合される。
従って、蓋３０の上昇作動によって排出誘導部２０が上昇すると、案内敷居１５０によって支持されて排出誘導部２０の下部に結合された密閉部材１５１が分離されて落下する。これによって、排出誘導部２０の下部が開放されるので、異種物質が容器１００の内部に落下することができる。
【００３０】
図２１及び図２２は本発明の第１６実施例を示す図面である。
図２１に示したように、排出誘導部２０の下端には水平に密閉板１６０が付着される。この密閉板１６０は外側に延長される掛かり部１６１を有する。
本体１０の内部下側には複数個の密閉板除去部１６２が形成されている。
前記密閉板１６０は水平に形成されることに限定されない。例えば、図２２に示したように、密閉板は一側に傾くように形成することもできる。
従って、蓋３０の上昇作動によって排出誘導部２０が上昇すると、密閉板除去部１６２により密閉板１６０が分離されて排出誘導部２０の下部が開放され、これによって、異種物質が容器に落下する。
前記密閉板１６０が傾くように設置された場合には、排出誘導板２０からさらに容易に分離されることができる。
【図面の簡単な説明】
【００３１】
【図１】本発明の第１実施例による図である。
【図２】本発明の第１実施例による図である。
【図３】本発明の第１実施例による図である。
【図４】本発明の第２実施例による断面図である。
【図５】本発明の第３実施例による断面図である。
【図６】本発明の第４実施例による断面図である。
【図７】本発明の第４実施例による断面図である。
【図８】本発明の第５実施例による断面図である。
【図９】本発明の第６実施例による断面図である。
【図１０】本発明の第７実施例による断面図である。
【図１１】本発明の第８実施例による断面図である。
【図１２】本発明の第９実施例による断面図である。
【図１３】本発明の第１０実施例による断面図である。
【図１４】本発明の第１１実施例による断面図である。
【図１５】本発明の第１２実施例による断面図である。
【図１６】本発明の第１２実施例による断面図である。
【図１７】本発明の第１３実施例による断面図である。
【図１８】本発明の第１３実施例による断面図である。
【図１９】本発明の第１４実施例による断面図である。
【図２０】本発明の第１５実施例による断面図である。
【図２１】本発明の第１６実施例による断面図である。
【図２２】本発明の第１６実施例による断面図である。
【図１】
2007510595.tif 000003
【図２】
2007510595.tif 000004
【図３】
2007510595.tif 000005
【図４】
2007510595.tif 000006
【図５】
2007510595.tif 000007
【図６】
2007510595.tif 000008
【図７】
2007510595.tif 000009
【図８】
2007510595.tif 000010
【図９】
2007510595.tif 000011
【図１０】
2007510595.tif 000012
【図１１】
2007510595.tif 000013
【図１２】
2007510595.tif 000014
【図１３】
2007510595.tif 000015
【図１４】
2007510595.tif 000016
【図１５】
2007510595.tif 000017
【図１６】
2007510595.tif 000018
【図１７】
2007510595.tif 000019
【図１８】
2007510595.tif 000020
【図１９】
2007510595.tif 000021
【図２０】
2007510595.tif 000022
【図２１】
2007510595.tif 000023
【図２２】
2007510595.tif 000024
【国際調査報告】
2007510595.tif 000025
2007510595.tif 000026